(57)【要約】      （修正有）【課題】河川や海水中の放射性物質の回収を十分に行うことができる、放射性物質吸着回収装置を提供する。【解決手段】内部を被処理液が流入側から流出側へ流通し、経糸３３及び横糸３４で編まれて形成された筒状織物３０と、少なくとも一部の前記糸材に担持されたフェロシアン化化合物とを備える。筒状部材３０に接触している液体中の放射性セシウムが経糸３３及び横糸３４上のフェロシアン化化合物に吸着し、回収される。また、流出端部３２は、液体の流れによって流動するため、液体中の放射性セシウムを効率的に吸着し、回収される。【選択図】図２
2014122809.tif 000002
【特許請求の範囲】
【請求項１】
内部を被処理液が流入側から流出側へ流通し、糸材で編まれて形成された筒状織物と、
少なくとも一部の前記糸材に担持されたフェロシアン化化合物とを備えることを特徴とする放射性物質吸着回収装置。
【請求項２】
前記筒状織物の流出側の内周に設けられた円柱状の蓋部材と、
前記蓋部材を前記筒状部材に固定する固定部材とを備えることを特徴とする請求項１に記載の放射性物質吸着回収装置。
【請求項３】
前記筒状織物の前記流出側には、前記被処理液の流通方向に沿って、前記筒状織物の径が小さくなる網部を備えることを特徴とする請求項１に記載の放射性物質吸着回収装置。
【請求項４】
前記被処理液の流路を形成する固定構造物に設置される板状部材と、前記板状部材に設けられ、前記被処理液の通流方向に貫通すると共に、前記筒状織物の流入側の開口部を連通して固定する孔部とを更に備えることを特徴とする請求項１に記載の放射性物質吸着回収装置。
【請求項５】
前記フェロシアン化化合物は、フェロシアン化コバルト、またはフェロシアン化ニッケルであることを特徴とする請求項１に記載の放射性物質吸着回収装置。
【請求項６】
前記筒状織物は、この内周部に、前記フェロシアン化化合物を担持した繊維を有する、ひも状、モール状、筒状のいずれかの形状に形成された追加部材を保持することを特徴とする請求項１に記載の放射性物質吸着回収装置。
【発明の詳細な説明】
【技術分野】
【０００１】
本発明は、放射性物質吸着回収装置に関し、特に液体中の放射性物質を回収する技術に関する。
【背景技術】
【０００２】
原子力発電所等の原子力プラントでは、周辺環境を保全する立場から、放射性物質の大気への放出量の抑制を図ることが重要な課題となっている。この方法として、放射性物質を吸着剤に吸着させ、回収する方法が知られている。
【０００３】
原子力発電に伴って発生する放射性物質として、例えば放射性ヨウ素が知られている。放射性ヨウ素の周辺環境への排出を抑制する方法として、原子力発電所の空調設備に、ヨウ素吸着材を備える放射性物質吸着回収装置を設置する方法が知られている（例えば、特許文献１参照。）。ヨウ素吸着剤は定期的に交換され、放射性物質を含む吸着材は放射性物質ごと貯蔵保管される。
【０００４】
なお、他の放射性物質として、放射性セシウムが知られている。この放射性セシウムを回収するための吸着材として、フェロシアン化化合物が知られている（例えば、非特許文献１参照。）。
【先行技術文献】
【特許文献】
【０００５】
【特許文献１】特開２０１２−００２６０６号公報
【非特許文献】
【０００６】
【非特許文献１】斉藤恭一、「海水のセシウム汚染をとめる」、日本機械学会誌、一般社団法人日本機械学会、２０１２年６月、第１１５巻、第１１２３号、ｐ．３９８−３９９
【発明の概要】
【発明が解決しようとする課題】
【０００７】
上述した放射性物質吸着回収装置では、次のような問題があった。すなわち、上述の放射性物質吸着回収装置は、原子力発電所内からの排気中に含まれる放射性物質を回収する構造を有している。一方、液体中から放射性物質の回収を十分に行うことができない。このため、原子力発電所からの河川や海水への排水中から、放射性物質を十分に回収できないとうい問題があった。
【０００８】
そこで本発明は、河川や海水中の放射性物質の回収を十分に行うことができる放射性物質吸着回収装置を提供することを目的としている。
【課題を解決するための手段】
【０００９】
前記課題を解決し目的を達成するために、本発明の放射性物質吸着回収装置は次のように構成されている。
【００１０】
内部を被処理液が流入側から流出側へ流通し、糸材で編まれて形成された筒状織物と、少なくとも一部の前記糸材に担持されたフェロシアン化化合物とを備えることを特徴とする。
【発明の効果】
【００１１】
本発明によれば、河川や海水中の放射性物質の回収を十分に行うことが可能となる。
【図面の簡単な説明】
【００１２】
【図１】本発明の一実施の形態に係る放射性物質吸着回収装置を示す斜視図。
【図２】同放射性物質吸着回収装置に組み込まれた筒状部材を示す斜視図。
【図３】同放射性物質吸着回収装置の変形例を示す斜視図。
【図４】同筒状部材の第１の変形例を示す斜視図。
【図５】同筒状部材の第２の変形例を示す斜視図。
【図６】同筒状部材の第３の変形例を示す斜視図。
【発明を実施するための形態】
【００１３】
図１は本発明の一実施の形態に係る放射性物質吸着回収装置１０を示す斜視図、図２は放射性物質吸着回収装置１０に組み込まれた筒状部材３０を示す斜視図である。
【００１４】
放射性物質吸着回収装置１０は、被処理液の流路を形成する固定構造物Ｇ（例えば、川底や海底等）に設置され、被処理液の流路方向に貫通する孔部２２を有する板状部材２０と、後述する流通端部３１が孔部２２に連通して固定されている筒状部材３０とを有している。
【００１５】
板状部材２０は、固定構造物Ｇに設置するための設置部２３と、筒状部材３０を保持する固定部２１とを有している。設置部２３及び固定部２１は板状であり、相互に垂直に配置されている。固定部２１には、複数の円形の孔部２２が設けられている。孔部２２の内周部には、筒状部材３０の流入端部３１の外周部が一体に固定され、孔部２２と筒状部材３０とが連通している。
【００１６】
筒状部材３０は、フェロシアン化化合物が担持された糸材を経糸３３及び横糸３４として筒状に編まれて形成されている。なお、フェロシアン化化合物は、フェロシアン化コバルトまたはフェロシアン化ニッケルを用いる。筒状部材３０は、一方の端部に位置する流入端部３１と、他方の端部に位置する流出端部３２とを備えている。流入端部３１は上述したように、孔部２２と連通して固定されている。
【００１７】
ここで、フェロシアン化化合物を経糸３３及び横糸３４に用いられる糸材上に担持する方法について説明する。まず、ナイロン繊維に電子線を照射し、その後、アニオン交換基をグラフト重合させる。次に、アニオン交換基にフェロシアン化物イオンを吸着させ、塩化コバルト水溶液中に浸漬させる。これにより沈殿反応を起こし、フェロシアン化化合物を繊維上に固定する。
【００１８】
このように構成された放射性物質吸着回収装置１０は、次のようにして用いられる。放射性物質吸着回収装置１０は、放射性セシウムが含まれる河川や海水中に設置して用いられる。
【００１９】
放射性物質吸着回収装置１０は、流入端部３１から流出端部３２に向かって液体が流れるように、河川や海水中に設置される。この際、設置部２３が川底や海底に固定される。
【００２０】
このように構成された放射性物質吸着回収装置１０は、筒状部材３０の内周面上及び外周面上を、放射性セシウムを含む液体が通過する。フェロシアン化化合物は放射性セシウムを吸着する性質を有している。このことから、筒状部材３０に接触している液体中の放射性セシウムが経糸３３及び横糸３４上のフェロシアン化化合物に吸着し、回収される。また、流出端部３２は、液体の流れによって流動するため、液体中の放射性セシウムを効率的に吸着し、回収することができる。
【００２１】
本実施の形態に係る放射性物質吸着回収装置１０によれば、フェロシアン化化合物が筒状部材３０を形成する経糸３３及び横糸３４上に担持されているため、放射性セシウムを含む液体との接触面積を大きくしている。また、流出端部３２が液体の流れによって流動し、放射性セシウムを効率的に吸着、回収する。これにより、河川や海中に排出された放射性セシウムを十分に回収することが可能となる。
【００２２】
上述したように、本発明に係る放射性物質吸着回収装置によれば、河川や海水中の放射性物質の回収を十分に行うことが可能となる。
【００２３】
図３は本発明の一実施の形態に係る放射性物質吸着回収装置の変形例である放射性物質吸着回収装置４０を示す斜視図である。なお、図３において、図１及び図２と同一機能部分には同一記号を付し、詳細な説明は省略する。
【００２４】
放射性物質吸着回収装置４０は、筒状部材３０を河川や海水中に固定する板状部材５０と、流入端部３１が板状部材５０に固定された筒状部材３０とを備えている。
【００２５】
板状部材５０は、固定構造物Ｇに設置される固定部５１と、筒状部材３０の流入端部３１が連通して固定される孔部５２を有している。孔部５２の内周部には、筒状部材３０の流入端部３１の外周部が一体に固定され、孔部２２と筒状部材３０とが連通している。
【００２６】
このように構成された放射性物質吸着回収装置４０によれば、狭所に設置し、放射性セシウムの回収を行うことが可能である。
【００２７】
本変形例に係る放射性物質吸着回収装置４０によれば、放射性物質吸着回収装置１０と同様の効果を得ることができると共に、放射性物質吸着回収装置１０を設置できない狭所においても、放射性セシウムの回収を行うことができる。
【００２８】
上述したように、本発明に係る放射性物質吸着回収装置によれば、河川や海水中の放射性物質の回収を十分に行うことが可能となる。
【００２９】
図４は放射性物質吸着回収装置１０に組み込まれた筒状部材の第１の変形例である筒状部材３５を示す斜視図である。なお、図３において、図２と同一機能部分には同一記号を付し、詳細な説明は省略する。
【００３０】
筒状部材３５は、流出端部３２の内周側に設けられた蓋部材３６と、流出端部３２の外周側に設けられた固定部材３７とを有している。蓋部材３６は樹脂、金属、ゴム等を主材料とし、円柱状に形成されている。固定部材３７はベルト状に形成されており、蓋部材３６との間で流出端部３２を挟持する。すなわち、蓋部材３６と固定部材３７とで、流出端部３２の内周側の流路を塞いでいる。
【００３１】
筒状部材３５は、流入端部３１が、図１に示す板状部材２０の孔部２２、又は、図３に示す板状部材５０の孔部５２に連通して固定されて用いられる。すなわち、放射性物質吸着回収装置として、放射性セシウムを含む河川や海中に設置される。この際、筒状部材３５の流入端部３１から流出端部３２に液体が流れるように設置される。
【００３２】
このように形成された筒状部材３５によれば、筒状部材３０を用いる場合と同様の効果を得ることができる。更に、筒状部材３５の内周側を通る液体を、蓋部材３６により、筒状部材３５を貫通して外側に案内する。これにより、更に効率的な放射性セシウムの回収を行うことができる。
【００３３】
本変形例に係る筒状部材３５によれば、筒状部材３０と同様の効果を得ることができると共に、更に効率的な放射性セシウムの回収を行うことができる。
【００３４】
上述したように、本発明に係る放射性物質吸着回収装置によれば、河川や海水中の放射性物質の回収を十分に行うことが可能となる。
【００３５】
図５は放射性物質吸着回収装置１０に組み込まれた筒状部材の第２の変形例である筒状部材６０を示す斜視図である。
【００３６】
筒状部材６０はフェロシアン化化合物を担持された経糸６３及び横糸６４が筒状に編まれて形成されている。筒状部材６０は一方の端部に位置する流入端部６１と、他方の端部に形成された網部６２とを有している。網部６２は、流入端部６１側から、網部６２の開口端に向かうにつれて、径が小さくなるように形成されている。
【００３７】
筒状部材６０は、流入端部６１が、図１に示す板状部材２０の孔部２２、又は、図３に示す板状部材５０の孔部５２に連通して固定されて用いられる。すなわち、放射性物質吸着回収装置として、放射性セシウムを含む河川や海中に設置される。この際、筒状部材６０の流入端部６１から網部６２に液体が流れるように設置される。
【００３８】
このように構成された筒状部材６０は、内周面上及び外周面上を放射性セシウムを含む液体が通過する。筒状部材６０はフェロシアン化化合物が担持された経糸６３及び横糸６４から形成されているため、放射性セシウムを吸着し、回収する。また、液体の流路上に網部６２が設けられていることで、網部６２を通過する液体中から、更に多くの放射性セシウムを回収する機能を備えている。
【００３９】
本変形例に係る筒状部材６０を用いた放射性物質吸着回収装置では、筒状部材３０を用いた放射性物質吸着回収装置１０及び放射性物質吸着回収装置４０と同様の効果を得られると共に、流路上に網部６２を設けることで、更なる放射性セシウムの回収効果が期待できる。
【００４０】
上述したように、本発明に係る放射性物質吸着回収装置によれば、河川や海水中の放射性物質の回収を十分に行うことが可能となる。
【００４１】
図６は本発明の一実施の形態に係る放射性物質吸着回収装置に組み込まれた筒状部材の、第４の変形例である筒状部材６５を示す斜視図である。なお、図６において、図５と同一機能部分には同一記号を付し、詳細な説明は省略する。
【００４２】
筒状部材６５は、網部６２の内周側に設けられた蓋部材６６と、網部６２の外周側に設けられた固定部材６７とを有している。蓋部材６６は樹脂、金属、ゴム等を主材料とし、円柱状に形成されている。固定部材６７はベルト状に形成されており、蓋部材６６との間で網部６２を挟持する。すなわち、蓋部材６６と固定部材６７とで、網部６２の内周側の流路を塞いでいる。
【００４３】
筒状部材６５は、流入端部３１が、図１に示す板状部材２０の孔部２２、又は、図３に示す板状部材５０の孔部５２に連通して固定されて用いられる。すなわち、放射性物質吸着回収装置として、放射性セシウムを含む河川や海中に設置される。この際、放射性物質吸着回収装置１０と同様に、流入端部６１から網部６２に液体が流れるように設置される。
【００４４】
このように形成された筒状部材６５によれば、筒状部材６０を用いる場合と同様の効果を得ることができる。更に、筒状部材６５の内周側を通る液体を、蓋部材６６により、筒状部材６５を貫通して外側に案内する。これにより、更に効率的な放射性セシウムの回収を行うことができる。
【００４５】
本変形例に係る筒状部材６５によれば、筒状部材６０と同様の効果を得ることができると共に、更に効率的な放射性セシウムの回収を行うことができる。
【００４６】
上述したように、本発明に係る放射性物質吸着回収装置によれば、河川や海水中の放射性物質の回収を十分に行うことが可能となる。
【００４７】
また、フェロシアン化化合物が担持された糸材で形成された新たな部材を、上述した筒状部材の内部に配置することも可能である。この部材は、例えばひも状、モール状、筒状に形成される。これらの部材を筒状部材の内部に配置することで、放射性物質吸着回収装置の放射性セシウム回収能力を高めることが可能である。
【００４８】
なお、本発明は前記実施の形態に限定されるものではない。例えば、上述した例では、河川や海水中の放射性物質を回収する場合について説明したが、原子力発電所内においても同様に適用できるのは勿論である。この他、本発明の要旨を逸脱しない範囲で種々変形実施可能であるのは勿論である。
【符号の説明】
【００４９】
１０，４０…放射性物質吸着回収装置、２０，５０…設置部材、２３，５１…流入端部、３０，３５，６０，６５…筒状部材。
【図１】
2014122809.tif 000003
【図２】
2014122809.tif 000004
【図３】
2014122809.tif 000005
【図４】
2014122809.tif 000006
【図５】
2014122809.tif 000007
【図６】
2014122809.tif 000008